(57)【要約】      （修正有）【課題】スケジュールやＴｏＤｏ管理などの属性管理を容易に行うことのできる装置を提供する。【解決手段】ページ表示手段２は、入力されたオブジェクト（手書き文字や写真など）を含むページ１４を表示する。ページ記録手段３は、表示されたページを記録部１２に記録する。オブジェクト選択手段４は、オブジェクトを含む領域１６を選択する。完了管理情報記録手段６は、オブジェクトの完了を管理するための情報を記録部１２に記録する。また、完了記録手段８は、オブジェクトに関連する完了を受け付ける。さらに、オブジェクトを含む領域に対応付けて、完了を記録部１２に記録する。未完了オブジェクト表示手段１０は、記録部１２に記録されたオブジェクトを含む領域のうち、完了が記録されていないものを選択して、一覧１８として表示する。【選択図】図１
2017010101.tif 000002
【特許請求の範囲】
【請求項１】
少なくとも入力されたオブジェクトを含むページを表示部に表示するページ表示手段と、
前記ページを記録部に記録するページ記録手段と、
表示部に表示されたページにおいて、オブジェクトを含む領域を選択するオブジェクト選択手段と、
前記オブジェクトを含む領域に対応付けて完了管理情報を記録部に記録する完了管理情報記録手段と、
前記オブジェクトに関連する完了を受け付け、当該完了を、前記選択されたオブジェクトを含む領域に対応付けて記録部に記録する完了記録手段と、
未完了のオブジェクトを一覧として表示する未完了オブジェクト表示手段と、
を備えたページ記録・タスク管理装置。
【請求項２】
請求項１の装置において、
前記選択されたオブジェクトに関連する完了期限の入力を受け付け、当該完了期限を、前記選択されたオブジェクトを含む領域に対応付けて記録部に記録する完了期限記録手段をさらに備えた装置。
【請求項３】
コンピュータによって期限管理装置を実現するための期限管理プログラムであって、コンピュータを、
少なくとも入力されたオブジェクトを含むページを表示部に表示するページ表示手段と、
前記ページを記録部に記録するページ記録手段と、
表示部に表示されたページにおいて、オブジェクトを含む領域を選択するオブジェクト選択手段と、
前記オブジェクトを含む領域に対応付けて完了管理情報を記録部に記録する完了管理情報記録手段と、
前記オブジェクトに関連する完了を受け付け、当該完了を、前記選択されたオブジェクトを含む領域に対応付けて記録部に記録する完了記録手段と、
未完了のオブジェクトを一覧として表示する未完了オブジェクト表示手段として機能させるためのページ記録・タスク管理プログラム。
【請求項４】
請求項１のプログラムにおいて、コンピュータを、さらに
前記選択されたオブジェクトに関連する完了期限の入力を受け付け、当該完了期限を、前記選択されたオブジェクトを含む領域に対応付けて記録部に記録する完了期限記録手段として機能させるためのプログラム。
【請求項５】
請求項１〜４のいずれかの装置またはプログラムにおいて、
前記未完了オブジェクト表示手段は、ユーザ操作により前記一覧から選択された未完了オブジェクトを含むページを表示部に表示することを特徴とする装置またはプログラム。
【請求項６】
請求項１〜５のいずれかの装置またはプログラムにおいて、
前記完了管理情報記録手段は、記録時点の日を作成日として、前記選択されたオブジェクトを含む領域に対応付けて記録部に記録することを特徴とする装置またはプログラム。
【請求項７】
請求項１〜６のいずれかの装置またはプログラムにおいて、
前記オブジェクトは、写真または手書文字を含むことを特徴とする装置またはプログラム。
【請求項８】
請求項１〜７のいずれかの装置またはプログラムにおいて、
前記ページ表示手段は、記録部に記録済みのページを読み出して表示することを特徴とする装置またはプログラム。
【請求項９】
少なくとも入力されたオブジェクトを含むページを表示部に表示するページ表示手段と、
表示部に表示されたページにおいて、オブジェクトを含む領域を選択するオブジェクト選択手段と、
前記選択されたオブジェクトに関連する属性の入力を受け付け、当該属性を、前記選択されたオブジェクトを含む領域に対応付けて記録部に記録する属性記録手段と、
指定された属性に基づいて、前記オブジェクトを含む領域を検索し、一覧として表示するオブジェクト表示手段と、
を備えたオブジェクト管理装置。
【請求項１０】
コンピュータによってオブジェクト管理装置を実現するためのオブジェクト管理プログラムであって、コンピュータを、
少なくとも入力されたオブジェクトを含むページを表示部に表示するページ表示手段と、
表示部に表示されたページにおいて、オブジェクトを含む領域を選択するオブジェクト選択手段と、
前記選択されたオブジェクトに関連する属性の入力を受け付け、当該属性を、前記選択されたオブジェクトを含む領域に対応付けて記録部に記録する属性記録手段と、
指定された属性に基づいて、前記オブジェクトを含む領域を検索し、一覧として表示するオブジェクト表示手段として機能させるためのオブジェクト管理プログラム。
【請求項１１】
請求項９の装置または請求項１０のプログラムにおいて、
前記オブジェクトを含む領域の一覧から、操作者によって領域が選択されると、当該領域を含むページを表示部に表示することを特徴とする装置またはプログラム。
【発明の詳細な説明】
【技術分野】
【０００１】
この発明は、入力した手書き文字などのオブジェクトに対する属性の管理を行う装置に関するものである。
【背景技術】
【０００２】
スケジュールの管理を行うための装置が用いられている。この種の装置においては、商談、訪問などのイベントがある予定日時をカレンダーなどから選択し、選択したカレンダー上の場所に、イベント内容をテキストにて入力するように構成されている。
【０００３】
上記の、イベントの予定日時を入力する方式では、当該イベントが複数日にまたがり、しかも、他のイベントも同時に並行して進行する場合には、管理が面倒である。たとえば、複数の業務を並行して遂行する場合などである。そこで、いわゆるＴｏＤｏと呼ばれる方式にて期限管理を行うものもある。ＴｏＤｏ方式においては、ＴｏＤｏのための入力画面を呼び出し、イベント内容と、開始予定日、完了予定日を入力する。また、完了したイベントについては、完了の入力を行う。これにより、現在日時との比較において、未完了のイベントの一覧や、完了予定日を経過しているにもかかわらず未完了のイベントについて注意喚起をしたりすることができる。
【０００４】
また、これらの入力を手書き文字にて行うようにすることができるようにした装置も提案されている（特許文献１）。
【先行技術文献】
【特許文献】
【０００５】
【特許文献１】特開２００３−５０１２８６
【発明の概要】
【発明が解決しようとする課題】
【０００６】
しかしながら、上記のような従来技術においては、スケジュールやＴｏＤｏを入力するための画面において、予定内容や日時などを入力する必要があった。すなわち、スケジュールやＴｏＤｏを入力する意識を持って、これら入力を行う必要があった。
【０００７】
しかし、メモ帳など他のプログラムによって入力した内容の一部、たとえば、手書き文字の一文章、撮像して貼り付けた画像などについて、期限を設定する場合には、改めて、スケジュールやＴｏＤｏを管理するためのプログラムを起動し、入力し直さなければならなかった。しかも、一旦、メモ帳などに入力した手書き文字の内容をテキストとして入力し直したり、画像に示された内容をテキストとして入力し直したりする必要もあった。
【０００８】
前述の特許文献１には、手書き文字によってスケジュールを入力すれば、これをテキスト化して記録する装置が開示されている（特許文献１の図９、図１０参照）。しかし、特許文献１の装置においても、期限管理のためのプログラムを立ち上げて、期限管理のための入力を行わねばならないという点は変わらない。また、画像に示された内容まではテキスト化できないという問題もあった。
【０００９】
さらに、上記のような問題点は、スケジュールやＴｏＤｏ管理においてだけでなく、入力した文字や写真などに対して属性を付して管理する場合一般に生じるものであった。
【００１０】
この発明は、上記のような問題点を解決して、スケジュールやＴｏＤｏ管理などの属性管理を容易に行うことのできる装置を提供することを目的とする。
【課題を解決するための手段】
【００１１】
この発明に係るページ記録・タスク管理装置の独立して適用可能ないくつかの特徴を列挙する。
【００１２】
(1)(3)この発明に係るページ記録・タスク管理装置は、少なくとも入力されたオブジェクトを含むページを表示部に表示するページ表示手段と、前記ページを記録部に記録するページ記録手段と、表示部に表示されたページにおいて、オブジェクトを含む領域を選択するオブジェクト選択手段と、前記オブジェクトを含む領域に対応付けて完了管理情報を記録部に記録する完了管理情報記録手段と、前記オブジェクトに関連する完了を受け付け、当該完了を、前記選択されたオブジェクトを含む領域に対応付けて記録部に記録する完了記録手段と、未完了のオブジェクトを一覧として表示する未完了オブジェクト表示手段とを備えている。
【００１３】
したがって、生成したオブジェクトに対し、後から完了管理としての属性を付して記録することができる。
【００１４】
(2)(4)この発明に係るページ記録・タスク管理装置は、選択されたオブジェクトに関連する完了期限の入力を受け付け、当該完了期限を、前記選択されたオブジェクトを含む領域に対応付けて記録部に記録する完了期限記録手段を備えている。
【００１５】
したがって、完了期限を管理することができる。
【００１６】
(5)この発明に係るページ記録・タスク管理装置は、未完了オブジェクト表示手段は、ユーザ操作により前記一覧から選択された未完了オブジェクトを含むページを表示部に表示することを特徴としている。
【００１７】
したがって、未完了オブジェクトを含むページを容易に表示することができる。
【００１８】
(6)この発明に係るページ記録・タスク管理装置は、完了管理情報記録手段は、記録時点の日を作成日として、前記選択されたオブジェクトを含む領域に対応付けて記録部に記録することを特徴としている。
【００１９】
したがって、作成日による管理も行うことができる。
【００２０】
(7)この発明に係るページ記録・タスク管理装置は、オブジェクトが、写真または手書文字を含むことを特徴としている。
【００２１】
したがって、手書き文字や写真などを、そのまま完了管理に用いることができる。
【００２２】
(8)この発明に係るページ記録・タスク管理装置は、ページ表示手段が、記録部に記録済みのページを読み出して表示することを特徴としている。
【００２３】
したがって、既に記録済みのオブジェクトに対しても、完了管理の対象とすることができる。
【００２４】
(9)(10)この発明に係るオブジェクト管理装置は、少なくとも入力されたオブジェクトを含むページを表示部に表示するページ表示手段と、表示部に表示されたページにおいて、オブジェクトを含む領域を選択するオブジェクト選択手段と、前記選択されたオブジェクトに関連する属性の入力を受け付け、当該属性を、前記選択されたオブジェクトを含む領域に対応付けて記録部に記録する属性記録手段と、指定された属性に基づいて、前記オブジェクトを含む領域を検索し、一覧として表示するオブジェクト表示手段とを備えている。
【００２５】
したがって、ページに含まれるオブジェクトの属性を管理することができる。
【００２６】
(11)この発明に係るオブジェクト管理装置は、オブジェクトを含む領域の一覧から、操作者によって領域が選択されると、当該領域を含むページを表示部に表示することを特徴としている。
【００２７】
したがって、当該属性のオブジェクトを含むページを容易に表示することができる。
【００２８】
「ページ表示手段」は、実施形態においては、ステップＳ３、Ｓ６がこれに対応する。
【００２９】
「ページ記録手段」は、実施形態においては、ステップＳ５、Ｓ８がこれに対応する。
【００３０】
「オブジェクト選択手段」は、実施形態においては、ステップＳ１３がこれに対応する。
【００３１】
「完了期限記録手段」は、実施形態においては、ステップＳ１６がこれに対応する。
【００３２】
「完了記録手段」は、実施形態においては、図１０のチェックボックス７２が押下されたときの処理がこれに対応する。
【００３３】
「未完了オブジェクト表示手段」は、実施形態においては、図１４に示す未完了オブジェクトの一覧を表示する処理がこれに対応する。
【００３４】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３５】
【図１】この発明の一実施形態によるページ記録・タスク管理装置の機能ブロック図である。
【図２】ページ記録・タスク管理装置のハードウエア構成である。
【図３】ページ記録・タスク管理プログラム４４のフローチャートである。
【図４】ノート選択画面の例である。
【図５】ノートを開いたときの初期画面例である。
【図６】作成したノートのページを示す図である。
【図７】ページ記録・タスク管理プログラム４４のフローチャートである。
【図８】オブジェクトを選択した状態を示す図である。
【図９】オブジェクト領域に対する属性付与のためのメニューを示す図である。
【図１０】ＴｏＤｏ属性を選択した場合の画面である。
【図１１】ＴｏＤｏ情報の例である。
【図１２】期限設定のための画面を示す図である。
【図１３】未完了ＴｏＤｏの一覧を表示した画面を示す図である。
【図１４】未完了ＴｏＤｏを選択した場合の表示画面例である。
【図１５】メニュー９０の表示例である。
【図１６】アイテムメニューの表示例である。
【図１７】ＴｏＤｏ領域９８の表示例である。
【図１８】ＴｏＤｏ領域９８によってオブジェクトを囲った状態を示す図である。
【図１９】日付スタンプ１００の表示例である。
【発明を実施するための形態】
【００３６】
１．機能ブロック図
図１に、この発明の一実施形態によるページ記録・期限管理装置の機能ブロック図を示す。ページ表示手段２は、入力されたオブジェクト（手書き文字や写真など）を含むページ１４を表示する。ページ記録手段３は、表示されたページを記録部１２に記録する。
【００３７】
オブジェクト選択手段４は、当該オブジェクトを含む領域１６を選択する。完了管理情報記録手段６は、当該オブジェクトの完了を管理するための情報を記録部１２に記録する。
【００３８】
また、完了記録手段８は、前記オブジェクトに関連する完了を受け付ける。さらに、当該オブジェクトを含む領域に対応付けて、当該完了を記録部１２に記録する。
【００３９】
未完了オブジェクト表示手段１０は、記録部１２に記録されたオブジェクトを含む領域のうち、完了が記録されていないものを選択して、一覧１８として表示する。
【００４０】
２．ハードウエア構成
図２に、ページ記録・タスク管理装置のハードウエア構成を示す。ＣＰＵ３０には、メモリ３２、タッチスクリーン・ディスプレイ３４、不揮発性メモリ３６、通信回路３８、カメラ４０が接続されている。タッチスクリーン・ディスプレイ３４は、スタイラスペンなどでの手書き入力を受け付けるとともに、表示を行うためのものである。通信回路３８は、インターネット等に接続するためのものである。
【００４１】
不揮発性メモリ３６には、オペレーティングシステム４２、ページ記録・期限管理プログラム４４が記録されている。ページ記録・期限管理プログラム４４は、オペレーティングシステム４２と協働してその機能を発揮するものである。これらプログラムは、予め不揮発性メモリ３６にインストールされていたものであってもよいし、通信回路３８を介してインターネット上のサーバ装置からダウンロードしてインストールしたものであってもよい。
【００４２】
３．ページ記録・期限管理処理
図３に、ページ記録・期限管理処理プログラム４４のフローチャートを示す。図３は、基本的機能であるページ管理処理についてのフローチャートである。プログラム４４が起動されると、ＣＰＵ３０は、ノート選択画面をタッチスクリーン・ディスプレイ３４に表示する（ステップＳ１）。
【００４３】
表示されたノート選択画面の例を図４に示す。ノート一覧表示欄には、新規ノート作成のためのアイコン５０、既に不揮発性メモリ３６に記録されているノートを開くためのアイコン５２が表示される。なお、この実施形態では、ノートを開くためのアイコン５２において、当該ノートの先頭ページの内容を表示するようにしている。
【００４４】
ユーザの操作により、新規ノート作成アイコン５０が選択されると、ＣＰＵ３０は、新規ノートを、タッチスクリーンディスプレイ３４に表示する（ステップＳ３）。図５に、表示された新規ノートの画面例を示す。画面上部には、処理を行うためのアイコン群５４が表示されている。画面のほぼ全面に、ノートの構成要素であるページが表示されている。この実施形態では、新規ノートが選択されると、ＣＰＵ３０は、カレンダー回路（図示せず）からその日の年月日を取得し、ページの左上に作成年月日５８として表示する。
【００４５】
ユーザは、ノートに入力を行ってノートを作成する（ステップＳ４）。すなわち、スタイラスペンなどを用いて、タッチスクリーンディスプレイ３４から手書きにて文字６０などを入力する。また、カメラ４０によって撮像した画像６２を、貼り付けることもできる。なお、表示されたページが文字などで一杯になれば、ページ追加アイコン６４を押下することで、新たなページを追加することができる。
【００４６】
以上のようにして、ノートが作成されると、ＣＰＵ３０は、当該ノートに含まれる各ページを、不揮発性メモリ３６に記録する（ステップＳ５）。この実施形態では、ユーザが特段の処理を行うことなく、ＣＰＵ３０が、ノートを記録するようにしている（たとえば、当該ノートの表示を閉じた時や、当該ページの表示から他の表示に移行した時など）。
【００４７】
上記では、図４において、新規ノート作成アイコン５０が押下された場合について説明した。既存ノートを開くためのアイコン５２が押下された場合、ＣＰＵ３０は、当該ノートを、不揮発性メモリ３６から読み出して、タッチスクリーンディスプレイ３４に表示する。
【００４８】
ユーザは、表示されたノートのページについて、追加・削除などの編集を行う（ステップＳ７）。ＣＰＵ３０は、追加編集されたノートを、不揮発性メモリ３６に記録する（ステップＳ８）。この記録処理についても、ユーザの特段の処理がなくとも自動的に実行されるようにしている。以上のようにして、ページ管理処理が実行される。
【００４９】
この実施形態では、上記のノートの作成（ステップＳ４）、ノートの修正（ステップＳ７）において、入力した文字や写真などのオブジェクトに関し、ＴｏＤｏの期限を設定できるようにしている。この期限登録処理のフローチャートを、図７に示す。
【００５０】
ユーザがオブジェクト選択アイコン５５を押下すると（ステップＳ１１）、ＣＰＵ３０はオブジェクト選択モードにする（ステップＳ１２）。オブジェクト選択モードにおいては、ユーザは、図８に示すようにスタイラスペンなどで線６６を引いて処理対象とするオブジェクトを囲う。たとえば、写真６２とこれに付された手書き文字を、図８に示すように囲ったとする。
【００５１】
これを受けて、ＣＰＵ３０は、線６６によって囲われたオブジェクトが選択されたことを示すために、その周りに矩形の選択状態を示す破線６８を表示する（ステップＳ１３）。
【００５２】
ユーザが選択状態をのオブジェクトを所定時間（たとえば、２秒）押下すると、ＣＰＵ３０は、図９に示すように、機能メニュー６９を表示する。機能メニュー６９には、選択した領域６８に対する「カット」「コピー」「タグ」・・・などの処理項目が示されている。ＴｏＤｏは、タグ付けを行う処理であるから、ユーザは「タグ」を押下する。これにより、ＣＰＵ３０は、「タグ」のサブメニュー７１を表示する。
【００５３】
ユーザがサブメニューＴｏＤｏを選択すると（ステップＳ１４）、ＣＰＵ３０は、選択状態にあるオブジェクトに対して、ＴｏＤｏのタグ付けを行なう。ＣＰＵ３０は、図１０に示すように、オブジェクトの上部に「ＴｏＤｏ」の表示７４を表示する。さらに、チェックボックス７２を表示する。
【００５４】
ＣＰＵ３０は、選択されたオブジェクト領域に対応付けてＴｏＤｏ情報を、不揮発性メモリ３６に記録する（ステップＳ１６）。図１１に、記録されたＴｏＤｏ情報を示す。タグ付けがなされたオブジェクトが含まれるノート、ページ、オブジェクト領域の座標（左上の座標、右下の座標）、ＴｏＤｏの完了の有無などが記録される。この実施形態では、オブジェクト領域の座標によってオブジェクト領域の内容を間接的に記録するようにしている。しかし、直接的にオブジェクト領域のイメージデータを記録するようにしてもよい。
【００５５】
なお、ＴｏＤｏに期限を付したい場合、ユーザは図１０の状態にて、オブジェクトを所定時間（たとえば２秒間）押下する。ＣＰＵ３０は、これを受けて、図１２に示すような期限入力メニュー７６を表示する。ユーザが、期限のボタン７８を押下すると、ＣＰＵ３０は、期限入力のためのカレンダー（図示せず）を表示する。ユーザが期限を選択することで、ＴｏＤｏに対する期限が入力される（ステップＳ１５）。入力された期限は、ステップＳ１６において、ＴｏＤｏ情報として記録される。以上のようにして、ＴｏＤｏの設定を行うことができる。
【００５６】
ＴｏＤｏとして登録した事項を完了した場合、ユーザは、当該ＴｏＤｏが含まれているノートを呼び出し、図１０に示すようにこれを表示する。ここで、ユーザが、チェックボックス７２を押下すると、ＣＰＵ３０は、ＴｏＤｏ情報（図１１）の完了の欄を「１」にして更新する。この実施形態では、完了の欄が「０」であれば未完了、「１」であれば完了を示している。
【００５７】
このようにして入力したＴｏＤｏを検索することができる。ユーザが、ＴｏＤｏ検索メニュー（アイコン７０のサブメニューとして選択できる）を選択すると、ＣＰＵ３０は、未完了のＴｏＤｏ（完了の欄が「０」であるＴｏＤｏ）を選択し、画面の下部に一覧として表示する。表示例を、図１３に示す。図１３に示すように、ＴｏＤｏとして記録されたオブジェクトを含む領域部分と、当該オブジェクトが含まれるノートの作成日付が表示されている。このようにして、ユーザは、未完了のＴｏＤｏを一覧として確認することができる。
【００５８】
この状態において、ユーザがＴｏＤｏ一覧からいずれかのＴｏＤｏオブジェクト領域を選択すると（たとえば、オブジェクトを所定時間押下する）、ＣＰＵ３０は、当該ＴｏＤｏオブジェクトが含まれるノートのページを表示する。たとえば、ＴｏＤｏオブジェクト領域８０が選択されると、ＣＰＵ３０は、図１４に示すように、表示を行う。これにより、ユーザは、当該ＴｏＤｏに関連した情報を確認することができる。
【００５９】
また、ＴｏＤｏの検索において、期限が入力されているＴｏＤｏに対して、期限を途過しているもの、期限直前のものなどを指定して検索することもできる。また、作成日順・期限日順に表示するなどの処理を行うこともできる。
【００６０】
４．その他の実施形態
(1)上記実施形態では、オブジェクトを生成した直後にＴｏＤｏとしての属性を付すようにしている。しかし、既にノートとして記録されているオブジェクトを読み出して、ＴｏＤｏとしての属性を付すようにしてもよい。
【００６１】
(2)上記実施形態では、手書き文字や写真などのオブジェクトに対し、属性を付すようにしている。入力されたテキスト文字、絵、文字認識によって得られたテキスト文字などを、オブジェクトとしてもよい。
【００６２】
(3)上記実施形態では、まず、ＴｏＤｏにするオブジェクトを選択し、その後に、選択した領域の属性としてＴｏＤｏを付すようにしている。しかし、予め、ＴｏＤｏのタグが付された領域を生成し、当該領域によって、対象とするオブジェクトを囲うようにしてもよい。
【００６３】
この場合の処理を以下に説明する。ユーザによって、図６のメニューボタン７０がクリックされると、ＣＰＵ３０は、図１５に示すように、プルダウンメニュー９０を表示する。ここで、ユーザが、「アイテムを追加」９２を選択したとする。これを受けて、ＣＰＵ３０は、図１６に示すように、アイテム一覧９４を表示する。
【００６４】
ユーザによって、アイテム一覧９４から、ＴｏＤｏアイテム９６が選択されると、ＣＰＵ３０は、図１７のようにＴｏＤｏアイテム９８を表示する。ＴｏＤｏアイテム９８は、外枠６９、内枠６８を有している。内枠６８は、ＴｏＤｏ管理を行うオブジェクトを囲うための枠である。外枠６９をドラッグすることで、その位置を移動したり、その大きさを拡大・縮小したりすることができる。その際、外枠６９につれて、内枠６８も拡大・縮小する。
【００６５】
ユーザは、ＴｏＤｏ管理を行いたいオブジェクトを、内枠６８で囲うように、操作を行う。たとえば、画像６２とこれに付された手書き文字をＴｏＤｏとして登録したい場合には、図１８に示すように、これらを内枠６８で囲う。これにより、ＣＰＵ３０は、ＴｏＤｏの登録を行う。
【００６６】
(4)上記実施形態では、オブジェクトに対して、ＴｏＤｏの属性を付すようにしている。しかし、重要であることを示す「重要」の属性を付すようにしてもよい。この場合、図９のメニューにおいて、「ＴｏＤｏ」に代えて「重要」を選択すればよい。あるいは、図１６のメニューにおいて、重要アイテム９７を選択すればよい。他の処理については、ＴｏＤｏと同様である。
【００６７】
したがって、「重要」のタグが付されたオブジェクト領域を検索し、画面下部に一覧として表示することができる。
【００６８】
また、「ＴｏＤｏ」や「重要」以外の属性を、同様に設定して記録、検索することができる。また、これら属性は、重複して設定することができる。たとえば、ＴｏＤｏの属性を付したジョブジェクト領域に、重要の属性を重ねて付すこともできる。
【００６９】
(5)上記実施形態では、オブジェクトに対して属性を付すようにしている。これとは別に、日付スタンプなどを設けるようにしてもよい。たとえば、図１６の画面において、ユーザが、日付スタンプ９９を選択すると、ＣＰＵ３０は、図１９に示すように、日付スタンプ１００を表示する。ＣＰＵ３０は、その中央部の日付欄１０４に、日付スタンプが選択された日をカレンダー回路から取得して表示する。
【００７０】
種別入力欄１０２、名前入力欄１０６が、ユーザによって押下されると、ＣＰＵ３０は、予め記録されている選択候補を表示する。ユーザが候補から選択すると、ＣＰＵ３０は選択された内容を表示する。ＣＰＵ３０は、これら情報を、日付スタンプ情報として記録する。
【００７１】
なお、種別入力欄１０２、名前入力欄１０６には、手書き文字をテキスト変換して、テキスト文字を入力するようにしてもよい。あるいは、手書き文字をそのまま入力するようにしてもよい。
【００７２】
(6)上記実施形態では、オブジェクトの含まれるノートに付された作成日時を用いて、オブジェクトの作成日時を管理している（間接的に作成日時を記録している）。しかし、ＴｏＤｏ情報において、直接的に作成日時を記録するようにしてもよい。
【００７３】
(7)上記実施形態では、一台のコンピュータによってページ記録・期限管理装置を構築している。しかし、図１の機能の一部または全部をサーバ装置に持たせるようにしてもよい。
【００７４】
たとえば、ページ記録・期限管理装置をサーバ装置として構成し、これと通信可能な端末装置において表示を行うようにしてもよい。この場合、ページ表示手段は端末装置のディスプレイにページを表示するよう制御する手段であり、オブジェクト選択手段は端末装置からの入力情報に基づいてオブジェクトを含む領域を選択するものであり、未完了オブジェクト表示手段は端末装置のディスプレイに未完了のオブジェクトを表示するよう制御する手段となる。
【００７５】
また、記録部のみをサーバ装置に設けるようにしてもよい。これにより、ノートやページなどの共有が容易となる。
【図１】
2017010101.tif 000003
【図２】
2017010101.tif 000004
【図３】
2017010101.tif 000005
【図７】
2017010101.tif 000006
【図１１】
2017010101.tif 000007
【図４】
2017010101.tif 000008
【図５】
2017010101.tif 000009
【図６】
2017010101.tif 000010
【図８】
2017010101.tif 000011
【図９】
2017010101.tif 000012
【図１０】
2017010101.tif 000013
【図１２】
2017010101.tif 000014
【図１３】
2017010101.tif 000015
【図１４】
2017010101.tif 000016
【図１５】
2017010101.tif 000017
【図１６】
2017010101.tif 000018
【図１７】
2017010101.tif 000019
【図１８】
2017010101.tif 000020
【図１９】
2017010101.tif 000021